(57)【特許請求の範囲】
【請求項１】
トンネル坑内の適宜位置に気密状態で仮設される建物の内外に外気を導入するためのトンネル坑内への外気導入方法であって、
前記トンネル坑内に、トンネル坑外からトンネルの先端部に至る外気導入管を配管し、該外気導入管に複数の分岐管を接続し、該複数の分岐管のうちの第一の分岐管を前記建物内に、第二の分岐管を前記建物の出入口に、第三の分岐管を前記建物外にそれぞれ導き、前記第一の分岐管を介して建物内に外気を常時導いて、建物内の圧力をトンネル坑内の圧力よりも高く設定し、前記第二の分岐管を介して建物の出入口に外気を導いて、建物の出入口にエアカーテンを形成可能とし、前記第三の分岐管の先端部に少なくとも一つのエアガンを取り付けて、該エアガンを介して圧力空気を噴出可能としたことを特徴とするトンネル坑内への外気導入方法。
【発明の詳細な説明】
【０００１】
【発明の属する技術分野】
本発明は、建設中のトンネル坑内に仮設される坑内休憩所の建物内外に外気を導入するためのトンネル坑内への外気導入方法に関する。
【０００２】
【従来の技術】
建設中のトンネル坑内において、作業員が一時的に休憩を取る場合は、トンネル内を移動して坑外の休憩所に行くか、坑内の適宜な場所を選んで休憩を取るか、坑内に仮設された休憩所あるいは休憩室がある場合にはそこで休憩を取るようにしている。
【０００３】
【発明が解決しようとする課題】
以上の休憩方法のうち、トンネル坑内は粉塵濃度が高く、空気環境が劣悪であるため、坑外休憩が最も理想的である。しかしながら、トンネルの掘削がある程度まで進捗しており、作業車が頻繁に往復していない場合には、坑外への移動は徒歩に頼らざるを得ず、現場と坑外との往復に時間がかかり工期の遅れにつながるため、現実的には就労時間内で坑外休憩を取ることは難しい。
【０００４】
これに対し、一般にトンネル内は前記のごとく粉塵濃度が高く、休憩中であっても防塵マスクを取り外すことは出来ず、くつろいだ状態とはなれないため、本来の意味での休憩とはならない。
【０００５】
なお、従来の休憩所あるいは休憩室は、現実には名ばかりのもので、実際には、坑内に簡単な仕切りで隔離された小屋内に腰掛程度のものが用意されている程度の建物であって、休憩所内であっても坑内と同様の雰囲気にさらされており、この場所を休憩場に使用するとしても、前記と同様に防塵マスクをしたままそこにとどまらざるを得なかった。
【０００６】
本発明は、以上の課題を解決するものであって、トンネル坑内に仮設される坑内休憩所の内部を、トンネル坑内から完全に遮断することができて清浄な雰囲気に保つことができ、防塵マスク等を外して休憩できるほか、十分な快適性が得られる休憩所とすることができるトンネル坑内への外気導入方法を提供することを目的とする。
【０００７】
【課題を解決するための手段】
前記目的達成するため、本発明は、トンネル坑内の適宜位置に気密状態で仮設される建物の内外に外気を導入するためのトンネル坑内への外気導入方法であって、前記トンネル坑内に、トンネル坑外からトンネルの先端部に至る外気導入管を配管し、該外気導入管に複数の分岐管を接続し、該複数の分岐管のうちの第一の分岐管を前記建物内に、第二の分岐管を前記建物の出入口に、第三の分岐管を前記建物外にそれぞれ導き、前記第一の分岐管を介して建物内に外気を常時導いて、建物内の圧力をトンネル坑内の圧力よりも高く設定し、前記第二の分岐管を介して建物の出入口に外気を導いて、建物の出入口にエアカーテンを形成可能とし、前記第三の分岐管の先端部に少なくとも一つのエアガンを取り付けて、該エアガンを介して圧力空気を噴出可能としたことを特徴とする。
【０００８】
本発明によるトンネル坑内への外気導入方法によれば、外気導入管から、複数の分岐管のうちの第一の分岐管を介して建物内に常時清浄な外気を供給し続けることができるので、休憩所内を常時清浄な雰囲気に保つことができる。
また、外気導入管から、複数の分岐管のうちの第二の分岐管を介して建物の出入口に外気を供給することにより、建物の出入口にエアカーテンを形成することができるので、休憩所の内外を空気的に遮断することができ、休憩所内にトンネル坑内の空気が流入するのを防止でき、休憩所内を清浄な状態に保つことができる。
さらに、建物の内部の圧力をトンネル坑内の圧力よりも高く設定しているので、トンネル坑内の空気が建物の内部に流入するのを防止できる。
さらに、外気導入管から、複数の分岐管のうちの第三の分岐管を介して建物の外部に外気を供給することができ、この第三の分岐管には少なくとも一つのエアガンが接続されているので、このエアガンから圧力空気を噴出させることにより、作業員の着衣に付着した粉塵を吹き飛ばすことができ、作業員を介して休憩所内に粉塵が入るのを防止でき、休憩所内を清浄な状態に保つことができる。
【００１０】
【発明の実施の形態】
以下、本発明の好ましい実施の形態につき、添付図面を参照して詳細に説明する。
図１、２には、本発明に係るトンネル坑内への外気導入方法を適用したトンネル施工現場が示されている。図において、切羽１ａに向けて掘削することにより形成されるトンネル坑１内の側壁には、トンネル坑１外よりトンネル先端部（切羽１ａ）に至る外気導入用の幹線空気管２が配管され、図示しないエアポンプなどにより定常的に清浄な外気が図中で白抜き矢印方向に流入している。
【００１１】
トンネル坑１内の適宜位置であって、幹線空気管２の直下には、休憩所３が仮設されている。なお、この休憩所３は掘削現場近くに順次移設されるか、あるいは、それぞれの休憩所３を残置したまま工事進捗に伴いトンネル坑１内の長手方向に沿って適宜間隔で順次増設しても良い。
【００１２】
この休憩所３は、仮設建物であって、矩形状の建物の壁面開口部に窓４、出入り用のドア５を設けたものであり、通常のプレハブ建物よりも、パネル間接合部及び開口部などを目張りすることで、高気密性を保つことが好ましい。
【００１３】
そして、幹線空気管２よりエルボ管６を介して分岐された３本の分岐管７，８，９が休憩所３に向けて垂直に配管されている。
【００１４】
第一の分岐管７の先端は休憩所３の壁面を貫通し、その内部に配置された送風口１０に連通している。従って、休憩所３内には常時清浄な外気が供給され続けることになる。なお、送風口１０には図示しない流量調整用ダンパ、気流方向調整用のルーバ等が設けられていることは勿論である。また、別途、休憩所３には、その内部の空気をトンネル坑内または坑外に排気する排気手段を設けることもできる。
【００１５】
第二の分岐管８の先端は、休憩所３の天井部を貫通し、ドア５の上部であって、出入口上縁に沿って開口する平ノズル状のエアカーテン吹出し口１１が配置されている。従って、ドア５を明けて出入口が開口された場合には吹出し口１１よりエアカーテンが吹き出し、休憩所３の内外を空気的に遮断し、ドア５の開閉の都度内部の清浄さを保持できるようにしている。なお、定常的にエアカーテンが吹出す構成としても良いが、ドア５を明けたときにのみエアカーテンが吹出すよう、自動化構造とすることも出来る。また、ドア５の側部から他方の側部に向けて横方向にエアが流れるエアカーテンとすることもできる。
【００１６】
いずれにおいても、休憩所３の室内内圧は、吹込む外気によりトンネル内圧力よりやや高めとなっているため、坑内空気が流入することなく、清浄な状態に保たれる。
【００１７】
第三の分岐管９の下端は、建物外に配置された横管１２に接続され、この横管１２の下部に垂下された複数のエアガン１４に連通している。各エアガン１４は横管に垂下されたフレキシブルホース１４ａの先端にトリガー弁方式のエアノズル１４ｂを接続したもので、エアノズル１４ｂを作業員Ａが持ち、トリガー弁を操作することで圧力空気が噴出し、作業員Ａの着衣に付着した粉塵を吹飛ばすことによって除去できるようになっており、この粉塵除去作業の後に休憩所３に入室することで休憩所室内の清浄度がより高く保持されるようにしている。
【００１８】
なお、休憩所３の建物大きさに余裕があるのであれば、出入口を二重扉方式とし、その内部で前記エアガン１４による粉塵除去作業を行った後、室内に入室できるようにしても良い。
【００１９】
さらに、休憩所３の建物内部には、腰掛け用ベンチ、その他図示しないが休憩に必要な建具類、ヘルメット掛けなどの設備が備えられているとともに、壁面の一面には、特に図２に示すように、壁掛パネル式の空気清浄機１５が配置され、他面には空調機の壁掛パネル式室内機１６が配置され、建物外に配置された室外機１７に接続されている。
【００２０】
なお、空気清浄機１５は、坑内空気の思わぬ流入による粉塵の除去だけでなく、建物内での喫煙などによる空気汚れの防止、及びマイナスイオン発生による脱臭等の快適性向上を図ったものであり、また空調機は現場温度が異常に高かったりその逆に寒い場合に、室内を快適温度に保つものである。
【００２１】
従って、休憩所に入室した作業員Ａはヘルメット、防塵マスク、防塵眼鏡などをとり、ベンチなどに腰掛けてくつろいだ状態で休憩を取ることが出来るほか、喫煙などの一服も可能となる。
【００２２】
【発明の効果】
以上の説明により明らかなように、本発明によるトンネル坑内への外気導入方法によれば、トンネル坑内に配管した外気導入管に接続される複数の分岐管のうちの第一の分岐管を介して建物内に常時清浄な外気を供給し続けることができるので、休憩所内を常時清浄な雰囲気に保つことができる。また、複数の分岐管のうちの第二の分岐管を介して建物の出入口に外気を供給することにより、建物の出入口にエアカーテンを形成することができるので、休憩所の内外を空気的に遮断することができ、休憩所内にトンネル坑内の空気が流入するのを防止でき、休憩所内を清浄な状態に保つことができる。さらに、複数の分岐管のうちの第三の分岐管を介して建物の外部に外気を供給することができ、この第三の分岐管には少なくとも一つのエアガンが接続されているので、このエアガンから圧力空気を噴出させることにより、作業員の着衣に付着した粉塵を吹き飛ばすことができ、作業員を介して休憩所内に粉塵が入るのを防止でき、休憩所内を清浄な状態に保つことができる。
さらに、第一の分岐管を介して建物の内部に外気を供給することにより、建物内部の圧力をトンネル坑内の圧力よりも高く設定しているので、人の出入りが頻繁に行われても、トンネル坑内の空気が建物の内部に流入するのを防止できる。
従って、トンネル坑内に仮設される休憩所の内部を、常時清浄な雰囲気に保つことができるので、防塵マスク等を外して休憩できるほか、十分な快適性が得られる雰囲気とすることができる。
【図面の簡単な説明】
【図１】  本発明に係るトンネル坑内への外気導入方法を示した概略図であって、トンネル坑内の休憩所との関係を示した説明図である。
【図２】  図１の休憩所の内部構造を示した概略図である。
【符号の説明】
１  トンネル杭
２  外気導入用幹線空気管
３  休憩所
５  ドア
７、８、９  分岐管
１０  送風口
１１  エアカーテン吹出し口
１４  エアガン
１５  空気清浄機
１６、１７  空調機（１６  室内機、１７  室外機）
【図１】
0003692894.tif 000002
【図２】
0003692894.tif 000003